(57)【要約】【課題】本考案は、特に着用者の後下腿部である脹脛領域において快適な着用感を実現し得るソックスを提供する。【解決手段】本考案のソックス１’は、はき口５’と下腿を被覆可能な筒状の下腿包囲部３’を有するソックス本体２’と足を被覆する足被覆部１０’とを具備し、下腿包囲部３’の一部を形成する脹脛包囲領域に、ポリエステルを主材としポリウレタン材を混紡した繊維からなる脹脛包囲繊維部８’を配置し、脹脛包囲繊維部８’は、脹脛下部相当領域から脹脛外周相当領域を経てソック本体２’のはき口部５’に至るまで縫着した構成としたものである。【選択図】図４
0003199901.tif 000002
【実用新案登録請求の範囲】
【請求項１】
はき口と、下腿を被覆可能な筒状の下腿包囲部と、この下腿包囲部の下部側に一体形成した帯状の足底掛け部と、を有するストッキング本体を具備する野球用ストッキング形態のソックスであって、
前記下腿包囲部の一部を形成する脹脛包囲領域に、ポリエステルを主材としポリウレタン材を混紡した繊維からなる脹脛包囲繊維部を配置してなることを特徴とする野球用ストッキング形態のソックス。
【請求項２】
前記脹脛包囲繊維部は、脹脛下部相当領域から脹脛外周相当領域を経てストッキング本体のはき口部に至るまで縫着されていることを特徴とする請求項１記載の野球用ストッキング形態のソックス。
【請求項３】
前記脹脛包囲繊維部の繊維組成は、ポリエステル９２％、ポリウレタン８％であることを特徴とする請求項１又は２記載の野球用ストッキング形態のソックス。
【請求項４】
はき口と、着用者の下腿を被覆可能な筒状の下腿包囲部と、着用者の足を被覆する足被覆部と、を有するソックス本体を具備するソックスであって、
前記下腿包囲部の一部を形成する脹脛包囲領域に、ポリエステルを主材としポリウレタン材を混紡した繊維からなる脹脛包囲繊維部を配置してなることを特徴とするソックス。
【請求項５】
前記脹脛包囲繊維部は、脹脛下部相当領域から脹脛外周相当領域を経てソックス本体のはき口部に至るまで縫着されていることを特徴とする請求項４記載のソックス。
【請求項６】
前記脹脛包囲繊維部の繊維組成は、ポリエステル９２％、ポリウレタン８％であることを特徴とする請求項４又は５記載のソックス。
【考案の詳細な説明】
【技術分野】
【０００１】
本考案は、野球用ストッキングやサッカー用ストッキングを包含するスポーツ用のソックス、及び一般の日常で用いるソックスに関し、特にスポーツ用としてのソックスにおいては野球用ストッキングに関するものであり、着用者の後下腿部である脹脛領域を覆う繊維部に改良を施し、脹脛領域において快適な着用感を実現する新規なソックスに関するものである。
【背景技術】
【０００２】
従来から一般的に実用化されているソックス、特に野球用ストッキングは、着用者の下腿部を覆うストッキング本体の上端部にはき口部を形成し、中間部よりやや下方における前部及び後部にくり抜き部を形成し、これらのくり抜き部より下方に着用者の足底に掛ける足底掛け部を突出形成した構造を有し、例えば靴下編機による丸編み組織としたものが多い。
【０００３】
しかし、従来の野球用ストッキングの場合、着用者の後下腿部である脹脛領域を覆う部分には格別の配慮がなされておらず、脹脛領域を覆う部分とその他領域を覆う部分とを均等な繊維により編成した構造となっている。
このような構造は、サッカー用ストッキングや一般の日常的に用いる一般的なソックスにおいてもほぼ同様のことが言える。
【０００４】
特許文献１には、本体と、前部の凹弧状のくり抜き部と後部の凹部状のくり抜き部及び足底掛け相当部からなる野球用ストッキングにおいて、前記本体に連なる下方の足底掛け相当部とその後方に足踵を被覆する踵相当部及びその前方の土踏まず相当部を一体的に編成し野球用ストッキングが開示されている。
【０００５】
また、特許文献２には、下腿に被覆可能な筒状に編成されたストッキング本体の下縁部に、足の土踏まず部に掛止められるバンドを形成してある野球・ソフトボール用ストッキングであって、前記ストッキング本体を、重ね合わされた複数層の伸縮性生地製の筒状編物体から構成するとともに、前記筒状編物体の特定の層間で、アキレス腱当接箇所から内外の両踝接当箇所に至る部位に、前記複数層の筒状編物体に亘って止着される状態で緩衝材を縫着野球・ソフトボール用ストッキングが開示されている。
【０００６】
しかし、特許文献１、特許文献２に開示された各ストッキングにおいても、着用者の後下腿部である脹脛領域を覆う部分には格別の配慮がなされておらず、このような特許文献１、特許文献２に開示された各ストッキングでは、本考案に係るソックスのような着用者の脹脛領域において快適な着用感を実現し得られるものではない。
【先行技術文献】
【特許文献】
【０００７】
【特許文献１】実用新案登録第２５１２８９６号公報
【特許文献２】登録実用新案第３０５２６７９号公報
【考案の概要】
【考案が解決しようとする課題】
【０００８】
本考案が解決しようとする問題点は、特に着用者の後下腿部である脹脛領域において快適な着用感を実現し得るような野球用ストッキング、サッカー用ストッキングを包含するスポーツ用のソックス、及び一般の日常的に用いるソックスが従来存在しない点である。
【課題を解決するための手段】
【０００９】
本考案に係るソックスは、はき口と下腿を被覆可能な筒状の下腿包囲部とを有するソックス本体を具備するソックスであって、前記下腿包囲部の一部を形成する脹脛包囲領域に、ポリエステルを主材としポリウレタン材を混紡した繊維からなる脹脛包囲繊維部を配置してなることを最も主要な特徴とし、特に、野球用ストッキングの場合、下腿を被覆可能な筒状の下腿包囲部と、この下腿包囲部の下部側に一体形成した帯状の足底掛け部と、を有するストッキング本体を具備する野球用ストッキングであって、前記下腿包囲部の一部を形成する脹脛包囲領域に、ポリエステルを主材としポリウレタン材を混紡した繊維からなる脹脛包囲繊維部を配置してなることを最も主要な特徴とする。
【考案の効果】
【００１０】
請求項１乃至３記載の考案によれば、着用者がこの野球用ストッキング形態のソックスを着用して野球競技を行うとき、ポリエステル、ポリウレタン双方による弾力性により着用者の脹脛に対するマッサージ効果を期待でき、快適な着用感を得ることができ、また、主材であるポリエステルによる耐磨耗、耐久性の向上を図れるとともに、ポリエステルの低吸湿性による速乾効果を発揮できるので使用後の選択処理も簡便になる等、全体として従来にない斬新な効果を奏する野球用ストッキング形態のソックスを実現し提供することができる。
請求項４乃至６記載の考案によれば、着用者がこのソックスを着用して日常生活を行うとき、ポリエステル、ポリウレタン双方による弾力性により着用者の脹脛に対するマッサージ効果を期待でき、快適な着用感を得ることができ、また、主材であるポリエステルによる耐磨耗、耐久性の向上を図れるとともに、ポリエステルの低吸湿性による速乾効果を発揮できるので使用後の選択処理も簡便になる等、全体として従来にない斬新な効果を奏するソックスを実現し提供することができる。
【図面の簡単な説明】
【００１１】
【図１】図１は本考案の実施例に係る野球用ストッキングの概略側面図である。
【図２】図２は本実施例に係る野球用ストッキングの使用状態を示す概略側面図である。
【図３】図３は本実施例に係る野球用ストッキングの使用状態を示す概略背面図である。
【図４】図４は本考案の変形実施例を示すサッカー用ストッキングや一般の日常的に用いるソックスの使用状態を示す概略側面図である。
【図５】図５は本考案の変形実施例を示すサッカー用ストッキングや一般の日常的に用いるソックスの使用状態を示す概略背面図である。
【考案を実施するための形態】
【００１２】
本考案は、特に着用者の後下腿部である脹脛領域において快適な着用感を実現し得るソックスを提供するという目的を、はき口と下腿を被覆可能な筒状の下腿包囲部とを有するソックス本体を具備するソックスであって、前記下腿包囲部の一部を形成する脹脛包囲領域に、ポリエステルを主材としポリウレタン材を混紡した繊維からなる脹脛包囲繊維部を配置し、前記脹脛包囲繊維部は、脹脛下部相当領域から脹脛外周相当領域を経てソックス本体のはき口部に至るまで縫着した構成により実現した。
【実施例】
【００１３】
以下、まず、本考案の実施例に係るソックスの一範疇に属するスポーツ用ソックスとしての野球用ストッキング形態のソックス１について、添付の図１〜図３を参照して詳細に説明する。
【００１４】
まず、本実施例に係る野球用ストッキング形態のソックス１は、図１に示すように、着用者の下腿２１を被覆可能な略筒状の下腿包囲部３と、この下腿包囲部３の下部側に延在する状態で一体形成した細幅で輪帯状とし着用者の足底（土踏まず部）に掛け止めるための足底掛け部４とを有するストッキング本体２を具備するものである。
【００１５】
前記ストッキング本体２は、その上端部に着用者が足先から自己の足を挿入するはき口部５を形成し、また、下腿包囲部３の下部から足底掛け部４にわたって着用者の足の甲側に位置する開口が小さい前側くり抜き部６を形成し、下腿包囲部３の下部から足底掛け部４にわたって着用者の足の踵側に位置する開口が大きい後側くり抜き部７を形成している。
【００１６】
更に、ストッキング本体２における下腿包囲部３の一部（着用者の脹脛側の領域、すなわち、脹脛包囲領域）に、ポリエステルを主材としポリウレタン材を混紡した繊維からなる脹脛包囲繊維部８を配置し、この脹脛包囲繊維部８を下腿包囲部３の一部として縫着している。
【００１７】
なお、前記脹脛包囲繊維部８と下腿包囲部３との縫着箇所は符号９を付して示す。
【００１８】
前記脹脛包囲繊維部８は、着用者の脹脛下部相当領域から脹脛外周相当領域を経てストッキング本体２のはき口５に至るまで縫着している。
【００１９】
本実施例に係る野球用ストッキング形態のソックス１の縫製手段としては、例えば前記はき口部５を二枚重ね網とするとともに、前記はき口部５、下腿包囲部３、足底掛け部４を網組織で一体化するとともに前側くり抜き部６、後側くり抜き部７のくり抜き加工を行い、更に、前記脹脛包囲繊維部８の縫着工程を付加したものでもよく、また、前記足底掛け部４は、細幅とした繊維部分の端部同士を縫着し連続帯状としたものでもよい。
【００２０】
この他、公知の種々の縫製手段を採用することができることは勿論である。
【００２１】
前記脹脛包囲繊維部８の繊維組成としては、例えばポリエステル９２％、ポリウレタン８％の例を、前記脹脛包囲繊維部８以外の各部の繊維組成としては、特に限定するものではないが、例えばアクリル９０％、ポリエステル５％、ポリウレタン５％の例を挙げることができる。
【００２２】
次に、本実施例に係る野球用ストッキング形態のソックス１の作用、効果について、図２、図３を参照し前記脹脛包囲繊維部８の機能を主にして説明する。
【００２３】
図２は本実施例に係る野球用ストッキング形態のソックス１の使用状態の側面を示し図３は同じく背面を示すものである。
【００２４】
本実施例に係る野球用ストッキング形態のソックス１によれば、上述したように、前記脹脛包囲繊維部８として、ポリエステルを主材（９２％）としポリウレタン材（８％）を混紡した繊維を採用し、前記脹脛包囲繊維部８を、着用者の脹脛下部相当領域から脹脛外周相当領域を経てストッキング本体２のはき口５に至るまで縫着した構造としているので、着用者がこの野球用ストッキング形態のソックス１を着用して野球競技を行い、下腿を種々に動かす際に、ポリエステル、ポリウレタン双方による弾力性により着用者の脹脛に対するマッサージ効果を期待でき、かつ、快適な着用感を得ることができる。
【００２５】
また、主材であるポリエステルによる耐磨耗、耐久性の向上を図れるとともに、ポリエステルの低吸湿性による速乾効果を発揮できるので使用後の洗濯処理も簡便になる等、全体として従来にない斬新な効果を奏する野球用ストッキング形態のソックス１を実現し提供することができる。
【００２６】
次に、本考案の変形した実施例に係るソックスの一範疇に属するスポーツ用ソックスとしてのサッカー用ストッキングや一般の日常的に用いるソックス１’について、添付の図４及び図５を参照して詳細に説明する。
【００２７】
変形実施例に係るソックス１’は、図４、図５に示すように、その上端部に着用者が足先から自己の足を挿入するはき口５’と、着用者の下腿を被覆可能な略筒状の下腿包囲部３’と、着用者の足を被覆する足被覆部１０’とを有するソックス本体２’を具備するものである。
【００２８】
前記ソックス本体２’における下腿包囲部３’の一部（着用者の脹脛側の領域、すなわち、脹脛包囲領域）に、ポリエステルを主材としポリウレタン材を混紡した繊維からなる脹脛包囲繊維部８’を配置し、この脹脛包囲繊維部８’を下腿包囲部３’の一部として縫着している。
【００２９】
図４、図５中の符号９’は、前記脹脛包囲繊維部８’と下腿包囲部３’との縫着箇所を示すものである。
【００３０】
前記脹脛包囲繊維部８’は、着用者の脹脛下部相当領域から脹脛外周相当領域を経てソックス本体２’のはき口５’に至るまで縫着している。
【００３１】
前記ソックス１’の縫製手段としては、公知の種々の縫製手段を採用することができることは勿論であるが、例えば前記はき口部５’を二枚重ね網とするとともに、前記はき口部５’、下腿包囲部３’を網組織で一体化し、前記脹脛包囲繊維部８’の縫着工程を付加したものでも良い。
【００３２】
前記脹脛包囲繊維部８’の繊維組成としては、例えばポリエステル９２％、ポリウレタン８％の例を、前記脹脛包囲繊維部８以外の各部の繊維組成としては、特に限定するものではないが、例えばアクリル９０％、ポリエステル５％、ポリウレタン５％の例を挙げることができる。
【００３３】
なお、図４、図５において、足被覆部１０’は爪先を被覆するように形成されたものとして示しているが、爪先を被覆しないいわゆるオープントゥ形態のソックスとしても良い。
【００３４】
次に、変形した実施例に係るソックス１’の作用、効果、特に前記脹脛包囲繊維部８’の機能については、前記野球用ストッキング形態のソックス１と同様である。
【００３５】
すなわち、このように構成したソックス１’によれば、前記脹脛包囲繊維部８’として、ポリエステルを主材（９２％）としポリウレタン材（８％）を混紡した繊維を採用し、前記脹脛包囲繊維部８’を、着用者の脹脛下部相当領域から脹脛外周相当領域を経てソックス本体２’のはき口５’に至るまで縫着した構造としているので、着用者がこのソックス１’を着用して下腿を種々に動かし日常生活をする際に、ポリエステル、ポリウレタン双方による弾力性により着用者の脹脛に対するマッサージ効果を期待でき、かつ、快適な着用感を得ることができる。
【００３６】
また、主材であるポリエステルによる耐磨耗、耐久性の向上を図れるとともに、ポリエステルの低吸湿性による速乾効果を発揮できるので使用後の洗濯処理も簡便になる等、全体として従来にない斬新な効果を奏するソックス１’を実現し提供することができる。
【産業上の利用可能性】
【００３７】
本考案の野球用ストッキング形態のソックスを包含するソックスの構造は、各種スポーツ用のストッキング用として、また、女性、男性を問わず、年齢を問わず、一般人の日常着用するソックス用として広範に適用可能である。
【符号の説明】
【００３８】
１    野球用ストッキング形態のソックス
１’  ソックス
２    ストッキング本体
２’  ソックス本体
３    下腿包囲部
３’  下腿包囲部
４    足底掛け部
５    はき口部
５’  はき口部
６    前側くり抜き部
７    後側くり抜き部
８    脹脛包囲繊維部
８’  脹脛包囲繊維部
９    縫着箇所
９’  縫着箇所
１０’  足被覆部
２１    下腿
【図１】
0003199901.tif 000003
【図２】
0003199901.tif 000004
【図３】
0003199901.tif 000005
【図４】
0003199901.tif 000006
【図５】
0003199901.tif 000007